(57)【特許請求の範囲】
【請求項１】
予め決められた日時で計画的に服薬を促す装置において、平面上に配置された薬ケースを上下方向に移動させるステッピングモータを用いたアクチュエータで、該薬ケースの移動を行うものであって、マイコンでステッピングモータ駆動回路を停止させ、該ステッピングモータの逆起電力を感知するモードに電気回路を切り替え、服用者が該薬ケースを戻したときに生じる逆起電力を感知し、その信号で該ステッピングモータを駆動し、該薬ケースを下方向に移動させることを特徴とする服薬装置。
【発明の詳細な説明】
【技術分野】
【０００１】
本発明は、自動で計画的に服薬を促す装置のマン-マシンインターフェイス部分に関するものである。
【背景技術】
【０００２】
従来、自動で服薬を促す装置では、服用者が薬を取り出したかどうかを検知していなかったか、或いは、並べてある薬の中から、自分で、今飲むべき薬を見つけて取り出した時、取り出したことを検知するために、機械的、光学的、或いは磁気的なセンサを用いていた。
【０００３】
もしくは、１日分の薬を朝用、昼用、夜用と薬ケースにセットしてそれを取り出すことで服用を検知するものがあったが、服用者が１週間分とか、まとめて装置にセットできず、毎日薬をセットしなければならないという煩わしさがあった。
【先行技術文献】
【特許文献】
【０００４】
【特許文献１】特開２００５−２５１１２９号公報
【特許文献２】特開２０１３−２４４３７３号公報
【発明の概要】
【発明が解決しようとする課題】
【０００５】
服用者本人が薬の管理を行う場合、例えば１週間分の薬を並べて管理する場合には、服薬を促すマン-マシンインターフェイス部分で服用者が、確実に、簡単に、今服用すべき薬を取り出せて、尚且つ、服用したかどうかを装置が確認しようとすると、センサを多用して構造が複雑になるか、服用者にボタンを押すなどの確認行為を要求したりして、取り扱いが面  倒になる点である。
【課題を解決するための手段】
【０００６】
本発明は、1週間分の薬を同一平面上に配置し、服用すべき薬の入った薬ケースを持ち上げるステッピングモータを用いたアクチュエータと、該ステッピングモータを用いたアクチュエータをセンサとして使用する為の電気制御システムとを具備することを最も主要な特徴とする。
【発明の効果】
【０００７】
通常該ステッピングモータを用いたアクチュエータで該薬ケースを上に持ち上げたか、下に下げたかの2つの状態を認識するには、1個以上のセンサが必要になり、もっと大きな構造となるが、本考案を実施しているので該ステッピングモータを用いたアクチュエータのみの実装で該センサを必要としない単純で小型の構造になっている。またこのことにより、該センサを使用した場合の機械的位置調整等も必要でなくなり結果的に信頼性も向上するという利点も生まれる。
【図面の簡単な説明】
【０００８】
【図１】図１本考案の機械的実施例である。
【図２】図２本考案の電気的実施例である。
【発明を実施するための形態】
【０００９】
ケース上面に透明、或いは半透明の薬ケースを配置し、服用者がそれを取り易い構造で、また、一目で服用薬を順に服用出来ているか否かを確認できる構造になっている。
【実施例】
【００１０】
図１は、本考案の機械的実施例を示すものである。図中１、は該薬ケースである。例えば、図１は日曜日の就寝前の服用時間の場合を示しているが、１以外は格納位置にあり、１は押し上げられた状態（服用すべき薬の位置）にある。このように、１は1以外の該薬ケースの位置（高さ）と一見して違うので、間違わずに服用できることになる。
【００１１】
服用者が押し上げられた該薬ケースを取り上げ、中に入っている薬を服用した後、該薬ケースを元の位置に戻し、ほんの少し該薬ケースを押し下げると、本装置は戻されたことを感知し該薬ケースを自動的に下の格納位置（図中１以外の該薬ケースの位置）まで移動させる。
【００１２】
図中2、3、は該薬ケース移動用のステッピングモータを用いたアクチュエータである。2は該薬ケースを押し上げた状態で、3は該薬ケースを格納した状態。である。
【００１３】
通常、該ステッピングモータを用いたアクチュエータに関し、2種類の状態を認識するには２つのセンサが必要になり、もっと大きな構造となるが、本考案を実施しているので該ステッピングモータを用いたアクチュエータのみの実装で、単純な構造になっている。またこのことにより、センサの機械的位置調整等も必要でなくなり結果的に信頼性も向上するという利点も生まれる。
【００１４】
この実施例では、1日4回（朝、昼、夜、就寝前）の服用を想定したものとなっていて、服用時毎に該ステッピングモータを用いたアクチュエータを使用して該薬ケースを上下させているので、合計4セット使用しているが、2セットは説明に不要なので、図からは省略してある。尚一日の服用回数に応じ、朝、夜のみの1日2回、或いは、朝、昼、夜の1日3回等に設定することもできる。
【００１５】
本実施例においては、該薬ケースを持ち上げる該ステッピングモータを用いたアクチュエータで、該薬ケースを持ち上げるが、上まで上がりきったか否かは、ステッピングモータ駆動回路の駆動電流を各相毎に監視しておき、規定値より上昇した現象を以て知ることができる。
【００１６】
この時、上まで持ち上げる時間は予め予測されるので、それより短い時間で、駆動電流の上昇が見られれば、何かの原因により移動途中で止まったことを意味するので、その場合、警告を発したり、再度、該薬ケースを上下させ、不具合の状況を再確認することもできる。
【００１７】
次に該薬ケースを上まで持ち上げた後には、該ステッピングモータを用いたアクチュエータを、センサとして機能させ、該薬ケースが戻されたことを感知させる。そのためには、マイコンで、ステッピングモータ駆動回路を停止させ、ステッピングモータの逆起電力を感知するモードに電気回路を切り替える。このようにすると“服用者が該薬ケースを取り出した後、それを戻した” 時に生じる、わずかな逆起電力を感知しその信号で、該ステッピングモータを制御する事が出来るようになる。
【００１８】
尚、逆起電力には、ノイズ成分も含まれているが、それらはマイコンで信号処理することにより、求める信号を抽出し、確実に“服用者が該薬ケースを取り出した後、それを戻した” と判断させる事が出来る。このことにより、特別に専用のセンサを組み込まなくても、ステッピングモータのみで“服用者が該薬ケースを取り出した後、元に戻した” ことを認識できる、服薬装置を構成できる事になる。
【００１９】
第2図は、本考案の電気的実施例である。４はステッピングモータ用駆動信号を発生させ、また、７ステッピングモータからの信号を処理するマイコン、５は４マイコンからの信号で７ステッピングモータを駆動するためのドライバである。５ドライバは６ステッピングモータセレクタにより７ステッピングモータに接続される。また、８アンプは耐ノイズ性を高めるため差動増幅器構成にしてあるが、６ステッピングモータセレクタにより接続された７ステッピングモータからの逆起電力による信号を増幅し、４マイコンに伝えるものである。
【産業上の利用可能性】
【００２０】
本考案は自動で計画的に服薬を促す装置のマン-マシンインターフェイス部分で、より快適な方法を簡単な機構で提供することに適用できる。
【符号の説明】
【００２１】
１    薬ケース
２    ステッピングモータを用いたアクチュエータ
（薬ケースを押し上げた状態）
３    ステッピングモータを用いたアクチュエータ
（薬ケースを格納した状態）
４    マイコン
５    ドライバ
６    モータセレクタ
７    ステッピングモータ
８    アンプ
【図１】
0006051244.tif 000002
【図２】
0006051244.tif 000003